(57)【要約】【課題】線状発光体の発光領域から放射される光強度の分布を簡便に測定することのできる線状発光体の発光強度分布測定器を提供する。【解決手段】線状発光体の発光領域から放射される光強度の分布を測定する発光強度分布測定器であって、ラインセンサの前面に、測定対象となる線状発光体の前記発光領域を、当該ラインセンサのピクセルの配列方向に沿って配置する。【選択図】図１
2007155621.tif 000002
【特許請求の範囲】
【請求項１】
線状発光体の発光領域から放射される光強度の分布を測定する発光強度分布測定器であって、
ラインセンサの前面に、測定対象となる線状発光体の前記発光領域を、当該ラインセンサのピクセルの配列方向に沿って配置することを特徴とする線状発光体の発光強度分布測定器。
【請求項２】
線状発光体の発光領域から放射される光強度の分布を測定する発光強度分布測定器であって、
ラインセンサと、測定対象となる線状発光体の前記発光領域を長手方向に沿って挿抜可能で、かつ、少なくとも一側面を長手方向に沿って透明部または開口部とした筒状部材とを備え、
前記ラインセンサのピクセルの配列方向に沿って前記筒状部材を、前記透明部または開口部を当該ラインセンサの前面に対向させて配置したことを特徴とする線状発光体の発光強度分布測定器。
【請求項３】
前記発光領域は、線状発光体の先端から所要長さに亘り形成されることを特徴とする請求項１または請求項２記載の線状発光体の発光強度分布測定器。
【発明の詳細な説明】
【技術分野】
【０００１】
この発明は、例えば、ロング全方位照射ファイバに用いられる線状発光体の発光強度分布測定器に関するものである。
【背景技術】
【０００２】
近年、光ファイバの先端から所要長さに亘る領域で光が全方位に照射されるロング全方位照射ファイバが開発されている。
【０００３】
これに関連した先行技術文献として、例えば、特許文献１に示すものがある。
【特許文献１】特開２００５−８７５３１号公報
【発明の開示】
【発明が解決しようとする課題】
【０００４】
しかしながら、従来のこの種の線状発光体には、つぎのような課題があった。
【０００５】
すなわち、光ファイバの先端から所要長さに亘る領域全体で光を均一に照射することが困難である。これは、光ファイバはもともと長手方向に沿って光を伝送するものであり、所要長さに亘る領域で光を全方位に照射するには適していないからである。
【０００６】
例えば、人体の血管内に光を照射するＰＤＴ（Photo Dynamic Therapy：光線力学療法）治療に用いられるロング全方位照射ファイバの場合、照射領域全体で光を均一に照射することが重要である。
【０００７】
また、例えば、細径管の内側にＵＶ接着剤を塗布したのちこのＵＶ接着剤を硬化させるために、線状発光体を細径管の内部に挿入してその線状発光体からＵＶ光（紫外光）を照射する場合も、照射領域全体でＵＶ光を均一に照射することが、短時間でムラなく硬化させるうえでとても重要である。
【０００８】
ところが、このような線状発光体の発光強度分布を簡便に測定することができないため、ＰＤＴ用途やＵＶ光用途などの各種の用途に線状発光体を使用するうえで妨げとなっていた。
【０００９】
この発明は、上記課題を解決するために為されたものであり、線状発光体の発光領域から放射される光強度の分布を簡便に測定することのできる線状発光体の発光強度分布測定器を提供することを目的とする。
【課題を解決するための手段】
【００１０】
この発明の請求項１に係る線状発光体の発光強度分布測定器は、線状発光体の発光領域から放射される光強度の分布を測定する発光強度分布測定器であって、ラインセンサの前面に、測定対象となる線状発光体の前記発光領域を、当該ラインセンサのピクセルの配列方向に沿って配置することを特徴とするものである。
【００１１】
この発明の請求項２に係る線状発光体の発光強度分布測定器は、線状発光体の発光領域から放射される光強度の分布を測定する発光強度分布測定器であって、ラインセンサと、測定対象となる線状発光体の前記発光領域を長手方向に沿って挿抜可能で、かつ、少なくとも一側面を長手方向に沿って透明部または開口部とした筒状部材とを備え、前記ラインセンサのピクセルの配列方向に沿って前記筒状部材を、前記透明部または開口部を当該ラインセンサの前面に対向させて配置したことを特徴とするものである。
【００１２】
この発明の請求項３に係る線状発光体の発光強度分布測定器は、請求項１または請求項２記載の線状発光体の発光強度分布測定器において、前記発光領域は、線状発光体の先端から所要長さに亘り形成されることを特徴とするものである。
【発明の効果】
【００１３】
この発明は以上のように、線状発光体の発光領域から放射される光強度の分布を測定する発光強度分布測定器であって、ラインセンサの前面に、測定対象となる線状発光体の前記発光領域を、当該ラインセンサのピクセルの配列方向に沿って配置するように構成したので、例えば、線状発光体の発光領域から放射される光強度の分布を簡便に測定することができる。
【発明を実施するための最良の形態】
【００１４】
この発明の実施の形態を、図面を参照して説明する。
【００１５】
図１は、この発明による線状発光体の発光強度分布測定器の一実施形態を示す概略的説明図であり、この線状発光体の発光強度分布測定器１は、線状発光体１０の発光領域１２から放射される光強度の分布を測定するものである。
【００１６】
線状発光体１０は光ファイバで作製され、発光領域１２は、線状発光体１０の先端１１から所要長さに亘り形成されるものである。
【００１７】
この線状発光体の発光強度分布測定器１は、ＣＣＤラインセンサ２０の前面に、測定対象となる線状発光体１０の発光領域１２を、ＣＣＤラインセンサ２０のピクセルの配列方向に沿って配置するように構成されている。
【００１８】
すなわち、この線状発光体の発光強度分布測定器１は、ＣＣＤラインセンサ２０と、筒状部材３０と、ＣＣＤラインセンサ２０の出力を処理する適宜の電子回路４０とを備えている。
【００１９】
筒状部材３０は、測定対象となる線状発光体１０の発光領域１２を長手方向に沿って挿抜可能で、かつ、少なくとも一側面を長手方向に沿って透明部または開口部３５として構成してある。
【００２０】
そして、筒状部材３０は、ＣＣＤラインセンサ２０のピクセルの配列方向に沿って配置され、しかも、透明部または開口部３５をＣＣＤラインセンサ２０の前面に対向させて配置してある。
【００２１】
図２に示すように、筒状部材３０は、一側面が除去されて開口した角柱パイプ３１と、角柱パイプ３１に内接する丸パイプ３２とが組み合わされたものであり、角柱パイプ３１の開口に対応する丸パイプ３２の部分には、透明部または開口部３５が形成されている。
【００２２】
筒状部材３０には、丸パイプ３２の端部から線状発光体１０を挿抜することができ、挿抜口２は、外部光の侵入を防ぐ遮光構造になっている（図示省略）。
【００２３】
この線状発光体の発光強度分布測定器１は、外部から挿抜口２に、線状発光体１０をその先端１１から挿入すると、線状発光体１０の発光領域１２が筒状部材３０の丸パイプ３２に挿入される。
【００２４】
このとき、丸パイプ３２に挿入された線状発光体１０の発光領域１２は、透明部または開口部３５を介して、ＣＣＤラインセンサ２０のピクセルの配列方向に沿って配置されることになる。
【００２５】
このため、線状発光体１０の他端に入射した光が発光領域１２から放射されると、その光強度の分布が、ＣＣＤラインセンサ２０によって測定されることになる。
【実施例１】
【００２６】
長さ約５０ｍｍ、内側１辺約１ｍｍの角柱パイプ３１の一側面を４０ｍｍに亘って取り除き、その内部に、長さ５０ｍｍ、内径約φ０．５ｍｍの透明パイプ３２を配置した。角柱の取り除いた面を、ＣＣＤラインセンサ２０に沿うように対向させて固定した。透明パイプ３２に線状発光体１０を挿入し、波長６３０ｎｍの光を入射しＣＣＤラインセンサ２０で受光した。その様子を図３に示す。
【００２７】
これにより、線状発光体１０の発光強度は、ＣＣＤラインセンサ２０の各ピクセルで受光する強度となって現れるため、線状発光体１０の発光強度分布が測定できた。
【実施例２】
【００２８】
実施例１の光源を波長３００〜５００ｎｍのＵＶ光源に変更した場合もほぼ同じ結果を得た。
【図面の簡単な説明】
【００２９】
【図１】この発明による線状発光体の発光強度分布測定器の一実施形態を示す概略的説明図である。
【図２】筒状部材３０の拡大断面図である。
【図３】線状発光体の発光強度分布を測定したグラフである。
【符号の説明】
【００３０】
１  線状発光体の発光強度分布測定器
２  挿抜口
１０  線状発光体
１１  先端
１２  領域
２０  ＣＣＤラインセンサ
３０  筒状部材パイプ
３１  角柱パイプ
３２  丸パイプ
３５  透明部または開口部
４０  電子回路
【図１】
2007155621.tif 000003
【図２】
2007155621.tif 000004
【図３】
2007155621.tif 000005